(57)【要約】      （修正有）【課題】パレット上に複数積載されたダンボール箱等の梱包物を容易に荷造りでき、かつ、製造コストも安く再使用可能な梱包装置を提供する。【解決手段】パレットカバーと、パレットカバーとパレットを締結する伸縮性のある締結バンドと、パレットとを有することを特徴とする梱包置である。パレット上に複数のダンボール箱等の梱包物を積載した状態でまずパレットカバーをダンボール箱等の表面に掛けるとともにダンボール箱等の上部側面を覆う。次にフランスカンの付いた締結バンドでパレットカバーとパレットを強く締結してダンボール箱等の梱包物をパレット上に固定し荷崩れを防止する梱包装置。【選択図】図５
0003120439.tif 000002
【実用新案登録請求の範囲】
【請求項１】
パレット上に複数のダンボール箱等の梱包物を積載した状態で、上部ダンボール箱等の表面及び側面をカバーするパレットカバーと、該パレットカバーと前記パレットを締結する伸縮性のある締結バンドと、前記パレットとを有することを特徴とする梱包装置。
【請求項２】
前記パレットカバーは、積載された複数のダンボール箱等の表面をカバーする４角形の補強テープとカバーシートからなる上部マスクと、四角形の各辺の両端より直角に同じ長さで下した垂直補強テープと、該垂直補強テープの下端を結び四角形の各辺に平行であって両端および中央に鳩目を有する水平補強テープと、上部ダンボール箱等の側面をカバーする該垂直補強テープと該水平補強テープとカバーシートからなる４角形の側面マスクと、からなることを特徴とするパレットカバー。
【請求項３】
両端に三角カン又は引掛けカンを付けた水平用バンドと、該水平用バンドの左右に滑り動かすことができ、さらにフランスカンと三角カン又は引掛けカンをつけた滑行用バンドとからなる、Ｔ字形をとる伸縮性のある締結バンド。
【請求項４】
前記締結バンドの引掛けカン又は三角カンを掛けるためのフック部を有するパレット。
【考案の詳細な説明】
【技術分野】
【０００１】
複数のダンボール箱等などの梱包物の荷崩れ防止の梱包装置に関する。
【背景技術】
【０００２】
パレット上に複数積み重ねられたダンボール箱等の梱包物を運搬する際、その梱包物をストレッチフィルムや布等でパレットと一体にその上部及び側面を巻き上げて引き締め、又は荷締バンドなどでパレットに括りつけて、荷崩れを防いでいる。
【０００３】
【特許文献１】特開平７−２５７５１３
【特許文献２】特開平１１−５９６１３
【０００４】
これらの作業は梱包作業に手間がかかり、さらに開梱時には梱包に使用したストレッチフィルムや荷締バンドなどは再使用することが難しく廃棄物とされていた。また、複数積み重ねたダンボール箱等の荷崩れを防止するため、パレットの４隅に支柱を立てこの支柱同士を掛けバンドで締結する方法もある。
【特許文献３】特許公開２００４−３５９３１７
【考案の開示】
【考案が解決しようとする課題】
【０００５】
しかしながら、前述のようにこれまでの荷造り方法では手間がかかり、開梱時には廃棄物を生じたりしていた。また支柱を立てるなどをして梱包の装置の製作費が高価であった。そこで、本考案は上記の点に鑑み、手軽に梱包物を荷造りし、荷締バンドなどの再利用を可能として経費がかからない梱包装置提供することを目的とする。
【課題を解決するための手段】
【０００６】
このため第１の考案は、パレット上に複数のダンボール箱等の梱包物を積載した状態で、上部ダンボール箱等の表面及び側面をカバーするパレットカバーと、該パレットカバーと前記パレットを締結する伸縮性のある締結バンドと、前記パレットとを有することを特徴とする梱包装置である。
【０００７】
ここで、「ダンボール箱等」としたのはダンボール箱にまとめられた荷物だけではなく、荷締バンドなどで一つにまとめられた荷物も含まれることを意味するためである。また、「上部ダンボール箱等」としたのは、積載された最上部のダンボール箱等だけではなく、下記するパレットカバーにて側面がカバーされる上方に積載された複数のダンボール箱等を表現するためである。なお、ダンボール箱等の表面とは積載されたダンボール箱等の最上部の水平な表面を言う。
【０００８】
第２の考案は、前記パレットカバーは、積載された複数のダンボール箱等の表面をカバーする４角形の補強テープとカバーシートからなる上部マスクと、四角形の各辺の両端より直角に同じ長さで下した垂直補強テープと、該垂直補強テープの下端を結び四角形の各辺に平行であって両端および中央に鳩目を有する水平補強テープと、上部ダンボール箱等の側面をカバーする該垂直補強テープと該水平補強テープとカバーシートからなる４角形の側面マスクと、からなることを特徴とするパレットカバーである。
【０００９】
ダンボール箱等は複数個積載され、上部ダンボール箱等の表面は、パレットの大きさとほぼ同じとなる。前記上部マスクは該上部ダンボール箱等の表面を覆うことになりパレットよりやや大きな面積を有することとなる。
垂直補強テープの長さはパレット上に積載される梱包物の高さに適合させるようにする。一般的にはパレット上の梱包物の高さは約３ｍ以下である。パレットカバーは、１の上部マスクと８本の垂直補強テープと４本の水平補強テープと４の側面マスクを有することになる。
【００１０】
鳩目は後述する引掛カンを挿入するための孔であり強度を必要とし、その円の周囲は真鍮等の金属あるいは強化プラスチックで形成されている。また鳩目は垂直補強テープと水平補強テープを接合させる役割も果たしている。補強テープとカバーシートは伸縮性のあるプラスチック材料からできており熱圧着等の工法により一体化させる。
【００１１】
第３の考案は、両端に三角カン又は引掛けカンを付けた水平用バンドと、該水平用バンドの左右に滑り動かすことができ、さらにフランスカンと三角カン又は引掛けカンをつけた滑行用バンドとからなる、Ｔ字形をとる伸縮性のある締結バンドである。本締結バンドによりパレットカバーとパレットを締結する。締結バンドのフランスカンはパレット上に積載された梱包物の高さにあわせて締結バンドの長さを調整し、かつ、パレットカバーとパレットを強く締結することによりパレット上に積載された複数のダンボール箱等が固定される。パレット上に積載された複数のダンボール箱等の側面だけでなくコーナー部も固定するため必要に応じ側面の数である４以上の締結バンドが使用される場合もある。
【００１２】
第４の考案は、引掛けカン又は三角カンを掛けるためのフック部を有するパレットである。前記締結バンドの引掛けカンや三角カンをこのパレットのフックに掛けてパレット上の梱包物を締め付けて荷崩れを防止する。フックは、パレットの各辺の中央と左右の両端に設けられている。
【考案の効果】
【００１３】
本考案である梱包装置を用い、複数のダンボール箱等をパレット上に積載し、試験的に幌付貨物車にて約１ヶ月間走行したが、荷崩れが生じたことはなかった。
【考案を実施するための最良の形態】
【００１４】
本装置の形態と使用法について以下説明する。
【実施例１】
【００１５】
図１は請求項２のパレットカバーの展開図である。材質は、カバーシートが高密度ポリエチレンモノフィラメント、補強テープが低密度ポリエチレンの両面ラミネート付高密度ポリエチレンモノフラットヤーンである。鳩目は真鍮をもちいている。
間隔をパレットの縦及び横幅にあわせた互いに平行な２組の所定長さの補強テープを中心部で直交させその4つの交点を熱圧着した。中心に出来た４角形が４角形の補強テープとなり残りの補強テープが垂直補強テープとなる。互いに平行な補強テープすなわち垂直補強テープの両端には孔を設け、該垂直補強テープの両端を結ぶ補強テープすなわち水平補強テープの両端にも孔を設け、鳩目を作り垂直補強テープと水平補強テープを圧着した。次にカバーシートである高密度ポリエチレンモノフィラメントを4角形補強テープ、垂直補強テープ及び水平補強テープに熱圧着により一体化させ上部マスクと側面マスクを作った。この補強テープの原反強伸度は、強度３９．１Ｋｇ、伸度２０．５％であった。試験方法はＪＩＳ−１０９６カットストリップ法により、引っ張り片は５cm×２０cm、引っ張り速度は１５cm/minである。運搬中の物体にかかる衝撃度は３０Ｇ以下がほとんどであって、この強度であればかかる衝撃には十分に耐えることができる。
【００１６】
図２は請求項３の締結バンドの展開図である。水平用バンドの両端は引掛けカンや三角カンを付け、滑行用バンドには水平用バンドの左右を滑らせるため、水平用バンドを通してその先端を折り曲げて熱圧着している。水平用バンドと滑行用バンドを一体化したしたものを締結バンドとしている。締結バンドはナイロン製である。図２において三角カンの付いた滑行用バンドは、フランスカンの付いた同滑行用バンドと離れて書かれているが、フランスカンを通して一体化される。フランスカンにより締結バンド長さの調整と締め付けによりパレットカバーとパレットを締結する。使用する場所により、三角カンの付いた滑行用バンドは一方に引掛けカンあるいは三角カンを付ける場合もあり、両方に引掛けカンをつける場合もある。
【００１７】
図３はフランスカンの概略図である。スライドスチックには金枠の縦方向に自在に移動できるように孔が通されている。一端を固定されたバンドは金枠の図面での上面より入りスライドスチックの裏面を通し折り曲げられてもとのバンドの上に出てくる。この上に出たバンドを下に引っ張るとスライドスチックは金枠の下部に押され金枠とスライドスチックの間にあるバンドは固定される。この機能により締結バンドの長さの調整とパレットカバーとパレットを締結する役割を果たす。
【００１８】
図４はパレットの斜視図である。本パレットでは中央および両端にフックが設けられている。したがってパレットの各４辺にそれぞれ３対のフックを有し、全部で１２対のフックを有することになる。両サイドのフックはその前のカバーで隠されているが、フォークリフトの爪で破壊されないようにするためである。なお、パレットは円形や長方形の孔が設けられているが、パレットの強度と重量の軽減化を計算した結果の形状である。  本パレットは材料をＡＢＳとし射出成型により作られる。
【００１９】
図５はパレット上に積載された複数個のダンボール箱等を本考案である梱包装置を用いて荷造りした図である。上部ダンボール箱等の表面を上部マスクで覆い、梱包物の側面に側面マスクを垂らす。上部マスクは上部ダンボール箱等表面の面積よりやや大きく作られている。
水平補強テープにある鳩目に水平用バンドの両端にある引掛けカンをとおし、滑行用バンドの引掛けカンをパレット中央部にあるフックに掛ける。水平用バンド及び滑行用バンドにあるフランスカンにより梱包物を強く締めて固定する。なお、パレット上に積載された複数のダンボール箱等の荷姿により滑行用バンドは水平用バンドの左右に偏る場合もあり、また滑行用バンドの引掛けカンがパレットの中央ではなく左右いずれかのフックに掛ける場合もある。さらに締結バンドは必要に応じてパレットカバーの水平補強テープ中央部の鳩目を利用してパレットカバーとパレットを締結することもある。パレット上に積載された複数個のダンボール箱等のコーナー部を安定させるためである。
【産業上の利用可能性】
【００２０】
本考案である梱包装置は経費も安く製造することができ、荷造り作業が容易でありさらに再利用することができることから運送業界では今後多く利用されることが多いと思われる。
【図面の簡単な説明】
【００２１】
【図１】パレットカバー展開図
【図２】締結バンド展開図
【図３】フランスカン図
【図４】パレット図
【図５】本考案である梱包装置を使用した斜視図
【符号の説明】
【００２２】
１：パレットカバー    １１：補強テープ    １２：上部マスク    １３：垂直補強テープ    １４：水平補強テープ    １５：鳩目    １６：カバーシート
１７：側面マスク    ２：締結バンド    ２１：引掛けカン    ２２：フランスカン    ２３：三角カン    ２４：水平用バンド    ２５：滑行用バンド  
２６：折り返し部    ３：フランスカン（２２と同じ）    ３１：金枠    ３２：スライドスチック    ４：パレット    ４１：フック  
【図１】
0003120439.tif 000003
【図２】
0003120439.tif 000004
【図３】
0003120439.tif 000005
【図４】
0003120439.tif 000006
【図５】
0003120439.tif 000007
【手続補正書】
【提出日】平成18年1月26日(2006.1.26)
【手続補正１】
【補正対象書類名】実用新案登録請求の範囲
【補正対象項目名】請求項２
【補正方法】変更
【補正の内容】
【請求項２】
前記パレットカバーは、積載された複数のダンボール箱等の表面をカバーする４角形の補強テープとカバーシートからなる上部マスクと、４角形の各辺の両端より直角に同じ長さで下した垂直補強テープと、該垂直補強テープの下端を結び４角形の各辺に平行であって両端および中央に鳩目を有する水平補強テープと、上部ダンボール箱等の側面をカバーする該垂直補強テープと該水平補強テープとカバーシートからなる４角形の側面マスクと、からなることを特徴とする請求項１記載の梱包装置。  
【手続補正２】
【補正対象書類名】実用新案登録請求の範囲
【補正対象項目名】請求項３
【補正方法】変更
【補正の内容】
【請求項３】
両端に三角カン又は引掛けカンを付けた水平用バンドと、該水平用バンドの左右に滑り動かすことができ、さらにフランスカンと三角カン又は引掛けカンをつけた滑行用バンドとからなる、T字型をとる伸縮性のある締結バンドを特徴とする請求項１記載の梱包装置
【手続補正３】
【補正対象書類名】実用新案登録請求の範囲
【補正対象項目名】請求項４
【補正方法】変更
【補正の内容】
【請求項４】
前記締結バンドの引掛カン又は三角カンを掛けるためのフック部を有するパレットであることを特徴とする請求項１記載の梱包装置。